(57)【要約】【課題】      自由支柱型のフェンスにおいて、フェンスに強い横風が吹いて胴縁に横方向の力が作用したとしても、胴縁がずれることの無いようにする。【解決手段】  胴縁取付用受金具５０は、平坦部５１の上端両側において上方へ突出した肩部５２が形成されている。両肩部５２の先端は、胴縁の係合突起に当接して胴縁の横方向の動きを規制する係止面５３となっている。肩部５２の間には、胴縁の係合突起に嵌合する係止縁５４が形成され、その裏面には滑り防止用のローレットが形成されている。平坦部５１の略中央にはネジ桿に螺着するネジ孔５５が形成されている。受金具５０の係止縁５４を胴縁２１の係合突起２１２に嵌合する。肩部５２の係止面５３を係合突起２１２の下面に当接させる。ネジ桿４０を通孔１１に挿通するとともに、その突出部にネジ孔５５を螺着して締め付ける。【選択図】        図４
2006312838.tif 000002
【特許請求の範囲】
【請求項１】
支柱に当接する平坦部と、該平坦部の両側端に形成され胴縁の係止突起の下面に当接する肩部と、該肩部の間に形成され胴縁の係止突起に嵌合押圧する係止縁と、該平坦部に穿設されネジ桿に螺着するネジ孔又はネジ桿を挿通させる貫通孔とを有することを特徴とするフェンスの胴縁取付用受金具。
【請求項２】
前記係止縁の内面にローレットが形成されていることを特徴とする請求項１記載のフェンスの胴縁取付用受金具。
【発明の詳細な説明】
【技術分野】
【０００１】
本発明は、自由支柱タイプのフェンスにおいて、胴縁を支柱に取付けるための胴縁取付用受金具及びこの胴縁取付用受金具を用いた胴縁取付構造に関するものである。
【背景技術】
【０００２】
敷地の境界を画するフェンスには、支柱の取付位置を自由に変更することが出来るフェンス（以下、「自由支柱型フェンス」という）と、支柱の取付位置を自由に変更することが出来ないフェンス（以下、「固定支柱型フェンス」という）とがあり、自由支柱型フェンスは、支柱の反敷地側の側面にパネルを取付けるもので、固定支柱型フェンスは、支柱のフェンスの設置方向の側面にパネルを取付けるものである。
【０００３】
自由支柱型フェンスの一例を図８〜図１０を参照して説明する。
図８は自由支柱型フェンスの平面図、図９は同上正面図、図１０は同上側面図である。これらの図において、１０は支柱で、地盤ａの所定個所に設けられた基礎ｂに埋設固定されている。２０はパネルで、支柱１０の反敷地側の側面に取付られている。パネル２０は、水平方向に配置される上下２つの胴縁２１と、この上下の胴縁２１間に垂直方向に配置される多数の縦格子２２とから構成されており、前記胴縁２１を支柱１０に取付けることによりパネル２０を支柱１０に取付けている。
【０００４】
一般に、自由支柱型フェンスにおいて支柱に胴縁を取付けるには、支柱の上部及び下部に通孔を穿設し、この通孔に挿通したネジ桿の突出部に受金具を螺着するとともに、この受金具に形成した係止縁を、胴縁の下部内側に形成した係合突起に嵌合することにより行なっていた。
【０００５】
従来、このような自由支柱型フェンスの支柱に胴縁を取付ける構造について図６及び図７を参照して説明する。
図６は、胴縁の取付構造において胴縁の一部切欠いた正面図、図７は図６中Ａ−Ａ線断面図である。これらの図において、胴縁２１は、断面略長方形状をした筒状に形成されており、その下部であって支柱１０側には段部２１１が形成されるとともに、「Ｌ」字状の係合突起２１２が形成されており、また、下部であって反支柱１０側には縦格子２２取付用のフランジ部２１３が形成されている。支柱１０には、敷地側及び反敷地側に位置する側面に通孔１１がそれぞれ穿設されている。
【０００６】
３０は受金具で、この受金具３０で胴縁２１を支柱１０に取付けている。この受金具３０は、支柱１０に接する平坦部３１と、胴縁２１の係合突起２１２と嵌合する山状に形成された係止縁３２とからなり、平坦部３１の略中心にはネジ孔３３が形成されている。
【０００７】
そして、受金具３０の係止縁３２を胴縁２１の係合突起２１２に嵌合した状態で、ネジ桿４０を通孔１１に挿通するとともに、その突出部にネジ孔３３を螺着することにより、係止縁３２で係合突起２１２を支柱１０側へ押圧して固定するものである（特許文献１参照）。
【０００８】
【特許文献１】実公平６−２４５２７号公報
【発明の開示】
【発明が解決しようとする課題】
【０００９】
しかしながら、上述した胴縁の支柱への取付構造においては、パネルに対して斜めから強い横風が吹いた際、パネルが支柱に対して横方向へずれるという問題があった。すなわち、図８中二点鎖線で示すように、パネル２０に対し、斜めから強い横風ｗが吹き付けられると、図１１に示すように、その風荷重Ｗ０によりフェンスの設置方向（図中、横方向）に荷重Ｗｈ及びフェンスの厚み方向（図中、縦方向）に荷重Ｗｄが作用する。その結果、胴縁２１にはフェンスの設置方向に力Ｆが作用し、係止縁３２と係合突起２１２の摩擦力以上の力であった時、胴縁２１が支柱１０からずれることとなる。
【００１０】
本発明は以上の問題点を解決し、フェンスに強い横風が吹いたとしても胴縁がずれることの無い胴縁取付用受金具及びそれを用いた胴縁取付構造を提供することを目的とする。
【課題を解決するための手段】
【００１１】
請求項１に係るフェンスの胴縁取付用受金具は、支柱に当接する平坦部と、該平坦部の両側端に形成され胴縁の係止突起の下面に当接する肩部と、該肩部の間に形成され胴縁の係止突起に嵌合押圧する係止縁と、該平坦部に穿設されネジ桿に螺着するネジ孔又はネジ桿を挿通させる貫通孔とを有することを特徴として構成されている。
【００１２】
請求項２に係るフェンスの胴縁取付用受金具は、請求項１記載において、係止縁の内面にローレットが形成されていることを特徴として構成されている。
【発明の効果】
【００１３】
請求項１に係るフェンスの胴縁取付用受金具においては、肩部が胴縁の係止突起の下面に当接するとともに、係止縁が胴縁の係止突起に嵌合するので、係止突起の下方向、上方向及び水平方向の動きが規制される。また、胴縁取付用受金具は、ネジ桿又は貫通孔を中心に回動自在となっているので、胴縁が横方向に動こうとすると、胴縁の動きに伴い胴縁取付用受金具自体が回動し、その結果、肩部が胴縁の係止突起の下面に食い込み、胴縁の動きを規制するので、胴縁がずれるのを防止することができる。
【００１４】
請求項２に係るフェンスの胴縁取付用受金具においては、ローレットにより係止縁と係止突起との摩擦が大きくなり、より一層胴縁がずれるのを防止することが出来る。
【発明を実施するための最良の形態】
【００１５】
本発明のフェンスの胴縁取付用受金具は、平坦部の両側端に肩部が形成されており、この肩部は胴縁の係止突起の下面と当接するものである。この肩部と係止突起の下面との当接は、肩部の全面が当接する場合に限定されず、肩部の一部が当接する場合も含まれ、また僅かの間隙を持ってもよいものである（胴縁取付用金具の回動により一部当接した状態となる）。また、係止縁の内面は、係止突起のずれを防止することが出来るので、ローレットを形成することが好ましい。胴縁取付用受金具を支柱に取付けるには、平坦部にネジ孔を穿設するとともに支柱に貫通孔を穿設し、ネジ桿を支柱の貫通孔を介してネジ孔に螺着する態様であっても、平坦部に貫通孔を穿設するとともに支柱にも貫通孔を穿設し、ネジ桿を支柱の貫通孔を介して平坦部の貫通孔に挿通し、ナットに螺着する態様であってもよい。
【００１６】
本発明による胴縁取付用受金具の一実施形態を図面を参照して説明する。図１は胴縁取付用受金具の正面図、図２は胴縁取付用受金具の背面図、図３は胴縁取付用受金具の縦断面図である。
【００１７】
これらの図において、胴縁取付用受金具５０は、支柱に当接して取付けられる略半円状で平坦に形成された平坦部５１が形成され、この平坦部５１の上端両側において上方へ突出した肩部５２が形成されている。両肩部５２の先端は、胴縁の係合突起に当接して胴縁の横方向の動きを規制する係止面５３となっており、同一面上に形成されている。肩部５２の間には、胴縁の係合突起に嵌合する断面山状に形成された係止縁５４が形成されており、その先端は肩部５２より上方へ突出しており、また、裏面には滑り防止用のローレットが形成されている。さらに、平坦部５１の略中央にはネジ桿に螺着するネジ孔５５が形成されている。
【００１８】
以上のような胴縁取付用金具を用い、自由支柱型フェンスにおいて胴縁のを支柱への取付構造について図面を参照して説明する。図４は胴縁の取付構造において胴縁の一部切欠いた正面図、図５は図４中Ｂ−Ｂ線断面図である。
【００１９】
これらの図において、支柱１０は従来と同様に構成されたもので、アルミニウム押出形材で形成され、その上下の胴縁の取付部位において、敷地側及び反敷地側に位置する側面に通孔１１が穿設されている。パネル２０も従来と同様に胴縁２１と縦格子２２とで構成されている。また、胴縁２１も従来と同様に構成されたもので、アルミニウム押出形材で形成され、その下部であって支柱１０側には段部２１１が形成されるとともに、「Ｌ」字状の係合突起２１２が形成されており、また、下部であって反支柱１０側には縦格子２２取付用のフランジ部２１３が形成されている。縦格子２２も従来と同様に構成されており、アルミニウム押出形材で形成され、フランジ部２１３にネジ止めされている。
【００２０】
そして、受金具５０の係止縁５４を胴縁２１の係合突起２１２に嵌合するとともに、肩部５２の係止面５３を係合突起２１２の下面に当接した状態で、ネジ桿４０を通孔１１に挿通するとともに、その突出部にネジ孔５５を螺着して締め付ける。すると、平滑部５１が支柱１０に圧接するとともに、係止縁５４が係合突起２１２に圧接し、胴縁固定用受金具５０及び胴縁２１が支柱１０に固定される。またこの時、係止縁５４は断面山状に形成されて上方へ行くに従って内側に傾斜しているので、係合突起２１２を斜下方に押圧し、同時に肩部５２の係止面５３が係合突起２１２の下面と確実に当接する。したがって、係合突起２１２は係止縁５４と係止面５３とで挟み込まれた状態となり、上下方向において固定されている。
【００２１】
以上のような固定状態で横風が吹いたとすると、胴縁２１はフェンスの配設方向に力が作用し、横方向にずれようとするが、係止縁５４が係合突起２１２と嵌合押圧するとともに、肩部５２の係止面５３が係合突起２１２の下面に当接しているので、胴縁２１が横方向にずれることが無い。すなわち、係止縁５４が係合突起２１２の上方向及び水平方向の動きを規制するとともに、肩部５２が係合突起２１２の下方向の動きを規制し、さらに、胴縁固定用受金具５０はネジ桿４０を中心に回動自在となっているので、胴縁２１が横方向に動こうとすると、胴縁２１の動きに伴い胴縁固定用受金具５０が回動し、係止面５３が係合突起２１２の下面を押圧することとなる。したがって、胴縁２１の横方向の動きが阻止され、ずれることが無い。
【図面の簡単な説明】
【００２２】
【図１】本発明による胴縁取付用受金具の一実施形態の正面図
【図２】本発明による胴縁取付用受金具の一実施形態の背面図
【図３】本発明による胴縁取付用受金具の一実施形態の縦断面図
【図４】本発明による胴縁取付構造の一実施形態の胴縁の一部切欠いた正面図
【図５】図４中Ｂ−Ｂ線断面図
【図６】従来の胴縁取付構造の胴縁の一部切り欠いた正面図
【図７】図６中Ａ−Ａ線断面図
【図８】自由支柱型フェンスの平面図
【図９】自由支柱型フェンスの正面図
【図１０】自由支柱型フェンスの側面図
【図１１】横風が吹いた際の胴縁への荷重状態を示す図
【符号の説明】
【００２３】
１０  支柱
２０  パネル
２１  胴縁
２１２  係合突起
２２  縦格子
３０  胴縁固定用受金具
４０  ネジ桿
５０  胴縁固定用受金具
５２  肩部
５３  係止面
５４  係止縁
５５  ネジ孔
【図１】
2006312838.tif 000003
【図２】
2006312838.tif 000004
【図３】
2006312838.tif 000005
【図４】
2006312838.tif 000006
【図５】
2006312838.tif 000007
【図６】
2006312838.tif 000008
【図７】
2006312838.tif 000009
【図８】
2006312838.tif 000010
【図９】
2006312838.tif 000011
【図１０】
2006312838.tif 000012
【図１１】
2006312838.tif 000013